(57)【要約】      （修正有）【課題】管状部材の収納状態を良好に保つ。【解決手段】第１の管状部材収納体１は、歯科、医科または獣医科にて用いられ、使用者が被対象に向けて操作する操作構造体８２が連結され、中空または内部に物体を有する第１の管状部材８０と、第１の管状部材８０を収納する直方体の収納箱１０と、を備え、収納箱１０は、蓋部を有し、収納箱１０の外枠を形成する外箱２０と、外箱２０の内部に設けられ、第１の管状部材８０の一方の端部８３を内側に入り込ませて一平面方向にて平面状に周回させ、第１の管状部材８０を取り付ける内箱３０と、を備えたことを特徴とする。【選択図】図５
2014061906.tif 000002
【特許請求の範囲】
【請求項１】
使用者が被対象に向けて操作する操作構造体が連結され、または当該操作構造体が連結可能に構成され、中空または内部に物体を有する管状部材と、
前記管状部材を収納する直方体の収納箱と、を備え、
前記収納箱は、
当該収納箱の外枠を形成する外箱と、
前記外箱の内部に設けられ、前記管状部材の一方の端部を内側に入り込ませて一平面方向にて平面状に周回させ、当該外箱の当該一平面方向に直交する面を上下として縦置きした場合であっても、平面状に周回された当該管状部材が下方向に片寄らないように当該管状部材を取り付ける内箱と、
を備えたことを特徴とする管状部材収納体。
【請求項２】
前記収納箱の前記内箱は、前記外箱の内寸高さｈ１より低い高さｈ２にて平面を保つように形成されており、当該平面には、前記管状部材を周回させるための溝部が形成され、
前記管状部材の半径ｒと、前記高さｈ２とは、
ｒ≦ｈ２
の関係にあり、前記溝部に前記管状部材が案内されて平面状に周回することを特徴とする請求項１記載の管状部材収納体。
【請求項３】
前記溝部は、高さｈ２の前記平面に形成される角丸長方形を周回とする溝であり、前記管状部材がｎ本で周回される箇所は前記管状部材の半径ｒに対してｎ×２×ｒの幅であることを特徴とする請求項２記載の管状部材収納体。
【請求項４】
前記収納箱は、蓋部を有し、前記管状部材が収納され当該蓋部が閉じられた際に、収納されている当該管状部材が有する特徴箇所が外側から見える位置に透明状の窓部が形成されていることを特徴とする請求項１乃至３何れか１項記載の管状部材収納体。
【請求項５】
歯科、医科または獣医科にて用いられ、使用者が被対象に向けて操作する操作構造体が連結され、または当該操作構造体が連結可能に構成され、中空または内部に物体を有する管状部材と、
前記管状部材を収納する直方体の収納箱と、を備え、
前記収納箱は、
前記管状部材を一平面方向にて平面状に周回させ、当該一平面方向に直交する面を上下として縦置きした場合であっても、平面状に周回された当該管状部材が下方向に片寄らないように当該管状部材を取り付けることを特徴とする管状部材収納体。
【請求項６】
使用者が被対象物に向けて操作する操作構造体が連結され、または当該操作構造体が連結可能に構成される管状部材を収納するための収納箱であって、
他の面に比べて広い面を有する直方体を形成する外箱と、
前記外箱の内部に設けられ、前記広い面に対応して形成され当該広い面を底面としたときの高さよりも低い高さからなる平面と、当該平面にて前記管状部材の一方の端部を内側に入り込ませて平面状に周回させる溝部と、が形成された内箱と、
を備えたことを特徴とする収納箱。
【請求項７】
前記内箱の前記溝部は直線部と曲線部とを有し、当該直線部から続けて当該溝部の高さ方向の壁を形成することを特徴とする請求項６記載の収納箱。
【発明の詳細な説明】
【技術分野】
【０００１】
本発明は、例えば歯科、医科または獣医科などで用いられる管状部材収納体、および管状部材の収納箱に関する。
【背景技術】
【０００２】
例えば、歯科用チェアユニットでは、各種インスツルメントやバキューム口などの操作構造体が使用され、この操作構造体にはチューブが接続される。このチューブは、歯科用チェアユニットの納品又は保守の際に、チューブ単独で、または操作構造体を取り付けたまま現地まで運送される。また、このチューブは、保守部品としてメーカー等で保管される。このような運送や保管に際して、チューブは梱包されて保護されることが好ましい。
【０００３】
従来、収納箱について幾つかの提案がなされている。
例えば、台紙と空洞部を設けた樹脂板との間に、両端に水栓とハンドシャワーへの接続継手を備えたシャワーホースをΩ字状に巻回し、可撓性ホース両端の接続継手を空洞部に偏らせて縦向きに収納する技術が存在する（例えば、特許文献１参照）。
また、段ボールを組み立てて包装箱を形成する一技術が開示されている（例えば、特許文献２参照）。
【先行技術文献】
【特許文献】
【０００４】
【特許文献１】特開２００２−６８２９２号公報
【特許文献２】特開２００８−１５５９６０号公報
【発明の概要】
【発明が解決しようとする課題】
【０００５】
ここで、例えば、歯科、医科または獣医科などで被対象者の患部等に向けて操作されるチューブを使用者（施術者）に提供する際、その梱包状態や保管状態が悪い場合には、チューブに折れ癖や捻れ癖がついてしまう。梱包した収納箱は、例えば縦置き、横置き、上下反転などの状態で保管され搬送される場合があり、例えば収納袋にそのまま収納されているような状態では、チューブに折れ癖や捻れ癖が生じやすい。このような折れ癖や捻れ癖があると、施術者が操作構造体を良好に操作できなくなる。すなわち、これらの操作構造体は、被対象者の患部等に向けて操作されることから、チューブに操作構造体が取り付けられる管状部材の状態は、施術者の操作性に直接、影響を与える。したがって、このような管状部材の収納は、他の一般商品に比べて良好であることが望まれる。
【０００６】
本発明は、かかる技術的課題を解決するためになされたものであって、管状部材の収納状態を良好に保つことを目的とする。
【課題を解決するための手段】
【０００７】
請求項１の発明は、使用者が被対象に向けて操作する操作構造体が連結され、または当該操作構造体が連結可能に構成され、中空または内部に物体を有する管状部材と、前記管状部材を収納する直方体の収納箱と、を備え、前記収納箱は、当該収納箱の外枠を形成する外箱と、前記外箱の内部に設けられ、前記管状部材の一方の端部を内側に入り込ませて一平面方向にて平面状に周回させ、当該外箱の当該一平面方向に直交する面を上下として縦置きした場合であっても、平面状に周回された当該管状部材が下方向に片寄らないように当該管状部材を取り付ける内箱と、を備えたことを特徴とする管状部材収納体である。
【０００８】
請求項２の発明は、請求項１記載の管状部材収納体において、前記収納箱の前記内箱は、前記外箱の内寸高さｈ１より低い高さｈ２にて平面を保つように形成されており、当該平面には、前記管状部材を周回させるための溝部が形成され、前記管状部材の半径ｒと、前記高さｈ２とは、ｒ≦ｈ２の関係にあり、前記溝部に前記管状部材が案内されて平面状に周回することを特徴とする。
【０００９】
請求項３の発明は、請求項２記載の管状部材収納体において、前記溝部は、高さｈ２の前記平面に形成される角丸長方形を周回とする溝であり、前記管状部材がｎ本で周回される箇所は前記管状部材の半径ｒに対してｎ×２×ｒの幅であることを特徴とする。
【００１０】
請求項４の発明は、請求項１乃至３何れか１項記載の管状部材収納体において、前記収納箱は、蓋部を有し、前記管状部材が収納され当該蓋部が閉じられた際に、収納されている当該管状部材が有する特徴箇所が外側から見える位置に透明状の窓部が形成されていることを特徴とする。
【００１１】
請求項５の発明は、歯科、医科または獣医科にて用いられ、使用者が被対象に向けて操作する操作構造体が連結され、または当該操作構造体が連結可能に構成され、中空または内部に物体を有する管状部材と、前記管状部材を収納する直方体の収納箱と、を備え、前記収納箱は、前記管状部材を一平面方向にて平面状に周回させ、当該一平面方向に直交する面を上下として縦置きした場合であっても、平面状に周回された当該管状部材が下方向に片寄らないように当該管状部材を取り付けることを特徴とする管状部材収納体である。
【００１２】
請求項６の発明は、使用者が被対象物に向けて操作する操作構造体が連結され、または当該操作構造体が連結可能に構成される管状部材を収納するための収納箱であって、他の面に比べて広い面を有する直方体を形成する外箱と、前記外箱の内部に設けられ、前記広い面に対応して形成され当該広い面を底面としたときの高さよりも低い高さからなる平面と、当該平面にて前記管状部材の一方の端部を内側に入り込ませて平面状に周回させる溝部と、が形成された内箱と、を備えたことを特徴とする収納箱である。
【００１３】
請求項７の発明は、請求項６記載の収納箱において、前記内箱の前記溝部は直線部と曲線部とを有し、当該直線部から続けて当該溝部の高さ方向の壁を形成することを特徴とする。
【発明の効果】
【００１４】
請求項１の発明によれば、本構成を採用しない場合に比べ、管状部材の収納状態をより良好に保つことが可能となる。
請求項２の発明によれば、本構成を採用しない場合に比べ、管状部材を溝部に沿わせて良好に収納させることができる。
請求項３の発明によれば、本構成を採用しない場合に比べ、管状部材の形状に合わせた溝部による良好な収納が実現できる。
請求項４の発明によれば、本構成を採用しない場合に比べ、互換性を有する収納箱を用いた場合でも、収納される管状部材の種類をより良好に認識できる。
【００１５】
請求項５の発明によれば、本構成を採用しない場合に比べ、歯科、医科または獣医科にて用いられる管状部材の収納状態をより良好に保つことが可能となる。
【００１６】
請求項６の発明によれば、本構成を採用しない場合に比べ、管状部材をより良好に収納できる。
請求項７の発明によれば、本構成を採用しない場合に比べ、収納状態における管状部材の移動を、より良好に抑制できる。
【図面の簡単な説明】
【００１７】
【図１】本実施形態に係る管状部材収納体の運送・保管形態を示した外観図である。
【図２】本実施形態に係る収納箱の全体構成を説明するための外観図である。
【図３】本実施の形態が適用される外箱と内箱との高さ関係を説明するための説明図である。
【図４】本実施の形態における収納箱の部品と、その組み付け構造を説明するための説明図である。
【図５】本実施形態に係る第１の管状部材を収納箱に収納した状態を示す斜視図である。
【図６】本実施形態に係る第２の管状部材を収納箱に収納した状態を示す斜視図である。
【図７】本実施の形態で用いられる固定バンドの一例を示す構成図である。
【図８】本実施形態に係る第３の管状部材を収納箱に収納した状態を示す斜視図である。
【発明を実施するための形態】
【００１８】
以下、添付図面を参照して、本発明の実施の形態について詳細に説明する。
〔管状部材収納体の構成〕
図１は、本実施形態に係る管状部材収納体の運送・保管形態を示した外観図である。図１では、例えば複数の段ボール材（板材）を組み合わせて形成される収納箱１０に、収納体の一例として本実施の形態に係る第１の管状部材８０が収納された第１の管状部材収納体１を示している。構成材料としては、段ボール材以外に、例えば板状に加工された樹脂の板材なども利用できる。図１に示すように、運送・保管形態では、収納箱１０の構成部材である外箱２０が外観に現れている。収納箱１０を構成する外箱２０は、底面と天面とが他の側面に比べて広い面を形成する直方体を形成している。
【００１９】
外箱２０の天面には、収納体である第１の管状部材８０を外側から眺めるための窓部１１が形成されている。この窓部１１は、例えば透明なＰＥＴ（ポリエチレンテレフタレート）フィルムで形成されている。外箱２０は、後述するように複数種類の管状部材を選択的に収納可能であり、互換性を有している。窓部１１は、複数種類の管状部材の各々が有する特徴箇所が見える位置に形成されている。すなわち、透明状の窓部１１の存在により、収納されている管状部材が有する特徴箇所が、蓋部（後述する蓋板２５）を開けずに確認できる。図１に示す例では、第１の管状部材８０がチューブ８１と操作構造体８２とを有しているが、第１の管状部材８０の特徴箇所である操作構造体８２、およびチューブ８１の一部が窓部１１から確認できる。また、外箱２０の天面には、収納している管状部材の種類や、製品提供会社名、各種注意事項などが記載されたラベル１２が貼り付けられ、またはラベル１２が印刷されている。関係者は、運送や保管に際し、正確な製品名はラベル１２で確認し、内装している管状部材の大まかな製品内容は、窓部１１から内部を眺めることで確認することが可能である。
【００２０】
第１の管状部材８０など、本実施の形態が適用される複数種類の管状部材は、例えば歯科、医科または獣医科などの現場にて用いられる。そして、この管状部材には、例えば歯科医師や歯科技工士などの使用者（施術者）が被対象である患者の口腔内に向けて操作するインスツルメントなどの操作構造体が連結される。インスツルメントとしては、歯科用電気回転駆動装置や各種ハンドピース、歯科用エアータービン、歯科用エアースケーラ、歯面清掃用機器、超音波治療器などがある。また、操作構造体として、口腔内の唾液や水などを吸い取るバキューム機器などがある。本実施の形態における管状部材は、これらの操作構造体が収納時に連結され、または、搬送後に連結可能に構成されている。管状部材を構成するチューブは、例えば唾液や水などが通るように中空で構成される。また、各種ケーブルやファイバなど、内部に物体を有するチューブが用いられる場合もある。
【００２１】
〔収納箱１０の構成〕
次に、図２、図３および図４を用いて、収納箱１０の構成について詳述する。
図２は、本実施形態に係る収納箱１０の全体構成を説明するための外観図である。また図３は、本実施の形態が適用される外箱と内箱との高さ関係を説明するための説明図である。さらに図４は、本実施の形態における収納箱１０の部品と、その組み付け構造を説明するための説明図である。図２および図４に示すように、収納箱１０は、外箱２０と内箱３０とで構成されている。各部材は、例えば段ボール材などの板材を型で抜いて曲げ（折り）加工し、組み立てることで形成される。
【００２２】
〔外箱２０の構成〕
外箱２０は、底板２１と、天面を形成する蓋板２５とを有している。また、底板２１から曲げ起こされて（折り起こされて）両側面を形成し運送・保管形態で外表面となる両端板２２を有している。そして、底板２１から曲げ起こされて一側面を形成する一端板２３を有しており、さらに、底板２１から曲げ起こされて一側面を形成し蓋板２５と曲げによって連続する他端板２４を有している。この一端板２３には、蓋板２５を閉じる際に折り込み片（後述する第１の折り込み片２７ａ）が挿入される切り欠き２３ａが形成されている。この一端板２３は、蓋板２５が閉じられた際に外表面を形成せず、蓋板２５を閉じた際に蓋板２５から伸びる片（後述する一側片２７）によって覆われる。
【００２３】
ここで、外箱２０の両端板２２、一端板２３、および他端板２４によって形成される外箱２０の高さは、外箱の内寸高さをｈ１とし、段ボール部材の板厚をｔとすると、内寸高さｈ１に底板２１の厚さを加えて、
ｈ１＋ｔ
である（図３参照）。また、外箱２０の蓋板２５が閉じられた際（図１参照）、この蓋板２５は内箱３０の高さによって位置が定められ、蓋板２５を閉じた部分の高さは、後述するように両端板２２、一端板２３および他端板２４によって定められる外箱２０の外寸高さ（ｈ１＋ｔ）と一致している。
【００２４】
また、図２に示すように、外箱２０の蓋板２５には、蓋板２５から曲げ起こされる両側片２６が形成される。また、蓋板２５から曲げ起こされ、両側片２６が形成される辺の間に位置して一側を形成する一側片２７が形成されている。この一側片２７には、蓋板２５が閉じられる際、一端板２３の切り欠き２３ａに差し込まれる第１の折り込み片２７ａが形成されている。また、この一側片２７の両端には、蓋板２５が閉じられる際、両端板２２と一端板２３との折り込み隙間２８に差し込まれる第２折り込み片２７ｂが形成されている。尚、折り込み隙間２８は、両端板２２の曲げによって形成される（図３参照）。
【００２５】
そして、外箱２０を組み立てる際、一端板２３の折り込み片２３ｂを折り込み隙間２８に差し込むことで、両端板２２と直交する位置に一端板２３が組み付けられる。同様に、他端板２４の折り込み片２４ｂを折り込み隙間２８に差し込むことで、両端板２２と直交する位置に他端板２４が組み付けられる。このようにして、内箱３０を収納可能な矩形の枠が形成される。
【００２６】
尚、図１では、外箱２０の天面にラベル１２を貼り付け、または印刷していたが、外箱２０の所定箇所、例えば、何れかの側端（両端板２２、一端板２３、他端板２４）に、品名や型番などを記した他のラベルを貼り付け、または他のラベルを印刷することも可能である。側端に他のラベルが存在すれば、例えば、立て掛けて収納し、また搬送する際にも、収納された管状部材の内容を確認することが可能となる。
【００２７】
〔内箱３０の構成〕
内箱３０は、外枠４０と内枠６０との２部材を組み合わせて構成されている。図２には、外枠４０と内枠６０とを組み合わせた状態が示され、図４には、組み合わせ前の状態が示されている。
【００２８】
外枠４０には、組み付けられた際、外箱２０の底板２１と平行となる平面４１が形成されている。また、平面４１の四隅で折り曲げられ、平面４１の高さを定めるとともに、外箱２０に対する内箱３０の位置を定める曲げ端部４２が形成されている。また、外枠４０の平面４１には、略角丸長方形の穴が形成されている。この外枠４０の略角丸長方形の穴は、直線部と曲線部とを有している。曲線部はそのまま穴の形状を形成しているが、直線部は内側曲げ部４３により板材が曲げられ、穴の形状を形成している。また、内側曲げ部４３には、内枠６０と組み合わせるための切り欠き４３ａが形成されている。内側曲げ部４３は、略角丸長方形の長手直線部に２箇所、短手直線部に１箇所設けられている。また、内側曲げ部４３は、収納される管状部材の操作構造体が設けられる周回端部位置４６に、２箇所、設けられている。
尚、外枠４０には、後述する固定バンド６９（図７参照）を差し込むための切り欠き穴４５が形成されている。
【００２９】
一方、内枠６０には、組み付けられた際、外箱２０の底板２１と平行で、かつ外枠４０の平面４１と高さが同等となる平面６１が形成されている。この内枠６０の平面６１は、略角丸長方形を外形としているが、平面６１の高さは、コ字状曲げ部６３によって決定されている。そして、図２に示すように、この外枠４０の平面４１の穴に内枠６０の平面６１の外形が対峙している。この外枠４０の平面４１と内枠６０の平面６１とによって、平面状に周回させるトラック状の溝部が内箱３０に形成される。平面６１の略角丸長方形の外形は、直線部と曲線部とを有している。曲線部はそのまま円弧に板材が切り取られているが、直線部はコ字状曲げ部６３を折り曲げて形成されている。このように、コ字状曲げ部６３は、この略角丸長方形を外形とする平面６１の、直線部から延びる形で形成される。
【００３０】
このコ字状曲げ部６３は、平面６１から板材が折り曲げられて切り下げ面を形成し、この切り下げ面から折り曲げられて、外箱２０の底板２１と接する接触面を形成し、さらに、この接触面から折り曲げられて切り上がる切り上がり面を形成している。このコ字状曲げ部６３の切り上がり面には、外枠４０と組み合わせるための切り欠き６３ａが形成されている。図２では、内枠６０のコ字状曲げ部６３の切り欠き６３ａと、外枠４０の内側曲げ部４３の切り欠き４３ａとを互い違いに組み込ませ、内枠６０と外枠４０とを組み付けて内箱３０を形成している。
【００３１】
また、内枠６０には、収納され平面状に重なり合う管状部材の一部を仕切る仕切り部６４が形成されている。この仕切り部６４は、平面６１の一短辺の直線部に形成されたコ字状曲げ部６３の切り下げ面から延びる形で、板材（段ボール材）を湾曲させて形成される。そして、この湾曲させた板材を立たせ、板厚部の一端を外箱２０の底板２１に当接させている。略角丸長方形を外形とする平面６１は、この仕切り部６４が形成されている箇所に、内側に切り込みが形成されている。この切り込みにより、管状部材を、仕切り部６４を間に挟んで平面状に重ね合わせて周回させた状態で、収納することが可能となる。
尚、内枠６０には、外枠４０の切り欠き穴４５と対峙する位置に、後述する固定バンド６９（図７参照）を差し込むための切り欠き穴６５が形成されている。
【００３２】
以上のような構成を有する外枠４０と内枠６０とを、切り欠き４３ａおよび切り欠き６３ａを用いて組み立てると、内箱３０には、トラック状の溝部が平面状に形成される（図２参照）。この溝部の幅は、収納箱１０に収納される予定の、最も太い管状部材（半径ｒ１）を基準に決定される。本実施の形態では、最も太い管状部材の直径（２×ｒ１）と同じ寸法を溝部の幅としている。また、管状部材が重なりあって周回する部分については、最も太い管状部材の直径（２×ｒ１）の２倍（２×２×ｒ１）となるように、溝部の幅が決定されている。
【００３３】
そして、このトラック状の溝部の直線部には、外枠４０の内側曲げ部４３と、内枠６０のコ字状曲げ部６３とによって、溝部の高さ方向の壁が形成されることとなる。この溝部の高さ方向の壁は、外枠４０の平面４１および内枠６０の平面６１の、高さを決定し、保持するとともに、収納される管状部材が、トラック状の溝部から外れてしまい、ずれてしまうことを抑制している。特に、管径が短い管状部材の場合には、溝部から外れてしまうことが懸念されるが、この壁の存在により移動が抑制される。この壁が形成されることで、例えば収納箱が立て掛けた状態で運送され、および/または保管された場合であっても、管状部材のずれを抑制することができる。
【００３４】
ここで、図３に示すように、外枠４０と内枠６０とが組み立てられた内箱３０の平面高さｈ２は、図２、４を用いて説明したように、曲げ端部４２の曲げ高さと、内側曲げ部４３およびコ字状曲げ部６３により形成される壁と、によって決定される。この内箱３０の高さｈ２は、外箱２０の内寸高さｈ１よりも低い。そして、この内箱３０ｈの平面高さｈ２は、収納箱１０に収納される予定の、最も太い管状部材（半径ｒ１）を基準に決定される。より具体的には、本実施の形態では、最も太い管状部材の半径ｒ１の高さと同じ高さとなるように平面高さｈ２が決定される。最も太い管状部材の半径ｒ１に合わせて平面高さｈ２が設定されることで、収納される管状部材の半径ｒと平面高さとの関係は、
ｒ≦ｈ２
となる。溝部の幅が２×ｒ１、または２×２×ｒ１であることも含めて考えると、収納予定の全ての管状部材が、外箱２０の底板２１に接触した状態で収まることから、良好な収容性を維持できる。尚、最も太い管状部材が、少々、ストレスを持って溝部に嵌め込むように設計し、例えば数ミリ程度、溝部の幅を、管状部材の直径よりも小さくするように構成することも可能である。
【００３５】
また、図３に示すように、本実施の形態では、段ボール材の厚さがｔ、外箱２０の内寸高さがｈ１、内箱３０を構成する外枠４０の曲げ端部４２の高さはｈ１−ｔとなっている。このように構成すれば、外箱２０の蓋板２５（厚さｔ）が閉じられた際、曲げ端部４２の端部に蓋板２５が当接した状態となるので、外箱２０の全体高さは、外箱２０の底板２１と蓋板２５の厚さ（２×ｔ）が加わり
（ｈ１−ｔ）＋２×ｔ＝ｈ１＋ｔ
となる。従って、蓋板２５を閉じた状態の外箱２０の全体高さは、「ｈ１＋ｔ」に保たれる。尚、このときの曲げ端部４２の高さｈ１−ｔは、最も太い管状部材の直径（２×ｒ１）よりも大きい。
【００３６】
〔第１の管状部材の収納〕
図５は、本実施形態に係る第１の管状部材８０を収納箱１０に収納した状態を示す斜視図である。第１の管状部材収納体１は、図１を用いて説明したように、収納箱１０に第１の管状部材８０を収納している。図５では、この図１に示した第１の管状部材収納体１にて、外箱２０の蓋板２５を開いた状態が示されている。図５では、図示による理解を高めるために、第１の管状部材８０をそのまま収納箱１０に収納しているが、実際には、例えば、合成樹脂の透明フィルム（例えばポリ塩化ビニルフィルム、ポリエチレンフィルム等）で第１の管状部材８０を包み、包まれた状態で格納している。第１の管状部材８０を構成するチューブ８１は、例えば、ポリ塩化ビニルで形成、またはポリ塩化ビニルがコーティングされ、強化用の肉厚部が、周囲に螺旋状に形成されている。管状部材の種類によっては、外周部に電気接続用のワイヤーが螺旋状に形成され、ポリ塩化ビニルでコーティングされる場合もある。第１の管状部材収納体１の全長は約１５００ｍｍ、半径ｒは約１８ｍｍであり、チューブ８１の内部は空洞化され、中空となっている。
【００３７】
本実施の形態にて、収納箱１０は互換性を有し、複数種類の管状部材に対して共通化して用いることができるが、この第１の管状部材８０は、この収納箱１０に収納される予定の管状部材の中で最も太い管状部材（半径ｒ１）である。従って、前述のように、溝部の幅と第１の管状部材８０の幅とが一致することから、外枠４０の平面４１と内枠６０の平面６１とによって形成されるトラック状の溝部に、第１の管状部材８０が比較的きつく嵌め込まれた状態となる。このように、この第１の管状部材収納体１の態様では、トラック状の溝部の幅が第１の管状部材８０の径に適合していることから、後述する固定バンド６９（図７参照）を用いなくても、良好な収納が保たれる。図５では、収納箱１０の内箱３０の共通化のために、切り欠き穴４５および切り欠き穴６５が形成されているが、ここでは用いられていない。
【００３８】
ここで、第１の管状部材８０は、一方の端部８３が内側に入り込んだ状態で、一平面方向（底板２１、蓋板２５、平面４１、平面６１の方向）にて平面状に周回させて収納されている。このとき、一方の端部８３と外側に周回するチューブ８１との間に、仕切り部６４が位置するように収納される。これによって、一方の端部８３によるチューブ８１へのストレスが軽減され、チューブ８１の損傷等が軽減される。また、第１の管状部材８０は、チューブ８１の他方の端部に操作構造体８２が設けられているが、この操作構造体８２が、周回端部位置４６（図４参照）に収納されている。
【００３９】
このように、本実施の形態によれば、収納箱１０の内箱３０に形成された溝部に合わせ、第１の管状部材８０の一方の端部８３を内側に入り込ませて、チューブ８１を平面状に周回させている。これによって、周回された第１の管状部材８０の位置は溝部によって規制され、縦置き、横置き、上下反転などの激しい状態で保管や搬送がなされた場合であっても、第１の管状部材８０の位置が大きくずれない。溝部によって規制されることで、周回された第１の管状部材８０の各所において、例えば縦置きに保管・搬送された場合であっても、荷重が一部に集中しない。その結果、外箱２０の一平面方向（底板２１、蓋板２５の方向）に直交する面（両端板２２、一端板２３（一側片２７）、または他端板２４）を上下として縦置きした場合であっても、平面状に周回された第１の管状部材８０が下方向に片寄らない。一般に、丸めた管状部材が、直方体の四隅に向けて変形すると、その変形した部分に「くせ」が生じやすく、変形の解消が困難となるが、本実施の形態によれば、収納箱１０の外箱２０の四隅に対峙するチューブ８１の周回箇所が、この四隅に向けて変形せず、良好な収納状態を維持できる。
【００４０】
〔第２の管状部材の収納〕
図６は、本実施形態に係る第２の管状部材８４を収納箱１０に収納した状態を示す斜視図である。この第２の管状部材８４を収納箱１０に収納する第２の管状部材収納体２は、図５に示した第１の管状部材収納体１にて採用したものと同じ収納箱１０を用いており、部品の共通化が図られている。第２の管状部材収納体２の収納箱１０に収納される第２の管状部材８４は、チューブ８５と、操作構造体８６とを有し、チューブ８５の操作構造体８６が形成されていない一方の側には、一方の端部８７が存在する。本実施の形態にて、第２の管状部材８４は、第１の管状部材８０に比べて径は細いが、長さは同等であり、同一の収納箱１０への収納に支障はない。また、一般に、操作構造体８６は、第１の管状部材８０に接続されている操作構造体８２とは外観や大きさが異なる。
【００４１】
第２の管状部材収納体２にて、第２の管状部材８４は、一方の端部８７を内側に入り込ませて一平面方向（底板２１、蓋板２５、平面４１、平面６１の方向）にて平面状に周回させている。このとき、一方の端部８７と外側に周回するチューブ８５との間に、仕切り部６４が位置するように収納され、一方の端部８７によるチューブ８５へのストレスが軽減され、チューブ８５の損傷等を軽減している。また、図６では、図示による理解を高めるために、第２の管状部材８４をそのまま収納箱１０に収納しているが、実際には、第１の管状部材収納体１と同様に、例えば、合成樹脂の透明フィルム（例えばポリ塩化ビニルフィルム、ポリエチレンフィルム等）で第２の管状部材８４を包み、包まれた状態で格納されている。また、チューブ８５は、チューブ８１と同様に、例えばポリ塩化ビニルで形成され、強化用の肉厚部が、周囲に螺旋状に形成されている。周囲に形成されるポリ塩化ビニルの内部に、電気接続用のワイヤーが螺旋状に形成される場合もある。
【００４２】
ここで、第２の管状部材８４の直径は、第１の管状部材８０の直径（２×ｒ１）に比べて細く、収納箱１０の内箱３０に設けられたトラック状の溝部の幅（１本用の２×ｒ１、２本用の２×２×ｒ１）よりも細い。その結果、内箱３０のトラック状の溝部に沿って平面状に周回させた場合に、溝部の中で第２の管状部材８４がガタ付いて移動可能の状態となる。何ら手当をしなければ、溝部に対する第２の管状部材８４の「遊び」によって、外箱２０の一平面方向（底板２１、蓋板２５の方向）に直交する面（両端板２２、一端板２３（一側片２７）、または他端板２４）を上下として縦置きした場合には、全体が下方向に片寄ってしまう。また、何ら手当をせずに移動させた場合には、ガタ付きにより第２の管状部材８４が溝部から外れるなど、予期しない損傷も生じる。そこで、本実施の形態では、例えば段ボール材によって形成された固定バンド６９（後述）を準備し、この固定バンド６９によって、溝部に入れられた第２の管状部材８４を押さえている。この固定バンド６９は、内箱３０のトラック状の溝部の脇に設けられた切り欠き穴４５および切り欠き穴６５（図２参照）に挿入して利用される。図６に示す例では、３箇所にて、固定バンド６９が用いられている。
【００４３】
図７は、本実施の形態が適用される固定バンド６９の一例を示す構成図である。固定バンド６９は、複数箇所に爪部が設けられ、この爪部は、傾斜部６９ａと直交部６９ｂとを備えている。傾斜部６９ａは、固定バンド６９を切り欠き穴４５または切り欠き穴６５に挿入しようとする際に、挿入しやすくするために形成されている。一方、直交部６９ｂは、固定バンド６９が切り欠き穴４５または切り欠き穴６５に挿入された後、引き抜く方向に力が働いた際に、直交部６９ｂが切り欠き穴４５または切り欠き穴６５に引っ掛かることで、固定バンド６９を取り外し難くしている。そして、固定バンド６９の一端側には、左右に一組の傾斜部６９ａおよび直交部６９ｂが設けられている。一方、固定バンド６９の他端側には、左右の複数組からなる傾斜部６９ａおよび直交部６９ｂが設けられている。この他端側に複数組、設けられていることで、第２の管状部材８４が１本分である場合、または重なって２本分である場合にも、共通の固定バンド６９を利用できる。また、他端側に複数組、設けることで、例えば、異なる径を有する管状部材が収納される場合でも、固定バンド６９を共通化して利用することが可能となる。
【００４４】
尚、本実施の形態で用いられる固定バンド６９は、例えば内箱３０（外枠４０、内枠６０）の形状を型で抜く際、内箱３０の形状に用いられない余った箇所を利用して、同じ型を用いて型抜きすることができる。
また、固定バンド６９が挿入される切り欠き穴４５および切り欠き穴６５の長さは、固定バンド６９の傾斜部６９ａおよび直交部６９ｂが形成されていない箇所の幅と同等である。
【００４５】
このように、第２の管状部材収納体２では、内箱３０に形成された溝部に、第２の管状部材８４の一方の端部８７を内側に入り込ませて、チューブ８５を平面状に周回させている。そして、周回させた第２の管状部材８４の数カ所を、固定バンド６９によって固定している。これによって、溝部に対してチューブ８５の径が小さい場合でも、収納後の位置を良好に維持でき、縦置き、横置き、上下反転などの激しい状態で保管や搬送がなされた場合であっても、第２の管状部材８４の位置が大きくずれない。また、溝部と固定バンド６９とによって位置が規制されることで、周回された第２の管状部材８４の各所において、例えば縦置きに保管・搬送された場合であっても、荷重が一部に集中しない。その結果、外箱２０の一平面方向（底板２１、蓋板２５の方向）に直交する面（両端板２２、一端板２３（一側片２７）、または他端板２４）を上下として縦置きした場合であっても、平面状に周回された第２の管状部材８４が下方向に片寄らず、良好な収納状態を維持できる。
【００４６】
〔第３の管状部材の収納〕
図８は、本実施形態に係る第３の管状部材８８を収納箱１０に収納した状態を示す斜視図である。第３の管状部材収納体３は、第３の管状部材８８を収納箱１０に収納して形成される。ここで用いられる収納箱１０は、前述した第１の管状部材収納体１および第２の管状部材収納体２の収納箱１０で用いられた内箱３０を用いておらず、平板に切欠き穴７１が形成された簡易な内箱である平板内箱７０を用いている。尚、切り欠き穴７１の長さは、固定バンド６９（図７参照）の傾斜部６９ａおよび直交部６９ｂが形成されていない箇所の幅と同等である。また、外箱２０は、前述した第１の管状部材収納体１および第２の管状部材収納体２にて用いたものと同じものを採用している。ここで、図８では、図示による理解を高めるために、第３の管状部材８８をそのまま収納箱１０に収納しているが、実際には、例えば、合成樹脂の透明フィルム（例えばポリ塩化ビニルフィルム、ポリエチレンフィルム等）で第３の管状部材８８を包み、包まれた状態で固定バンド６９により固定されている。
【００４７】
この第３の管状部材収納体３にて収容される第３の管状部材８８は、収納箱１０に収納している状態では操作構造体を連結しておらず、操作構造体である歯科用エアータービンを端部９０に連結可能に構成されている。第３の管状部材８８のチューブ８９は、内部にケーブルやファイバなどの物体を有し、外側はシリコンゴムで形成されている。第３の管状部材８８は、例えば歯科タービン用の管状部材であり、長さは約１３９０ｍｍ、チューブ８９の径は第２の管状部材８４のチューブ８５の径よりもさらに小さい。
【００４８】
図８に示すように、第３の管状部材８８は、チューブ８９の一方の端部を内側に入り込ませて、一平面方向に平面状に周回させている。そして、この平板内箱７０に形成された切欠き穴７１に、図７に示した固定バンド６９を差し込み、第３の管状部材８８を固定する。この固定により定まる第３の管状部材８８の周回位置は、外箱２０の一平面方向（底板２１、蓋板２５、平板内箱７０の平面方向）に直交する面（両端板２２、一端板２３（一側片２７）、または他端板２４）を上下として縦置きした場合であってもチューブ８９にくせが付かず、収納状態が安定している位置である。また、この第３の管状部材８８の収納箱１０（外箱２０）の四隅に対峙する周回箇所が、この四隅に向けて変形することを抑制する位置である。第３の管状部材８８の周回位置がこれらの目標となる位置にくるように、切欠き穴７１が設計されている。尚、平板内箱７０は平板であることから、固定バンド６９を切欠き穴７１に差し込んだ後、この固定バンド６９を平板内箱７０の裏側でこの平板内箱７０の平面に沿う一平面方向に曲げるようにして、平板内箱７０と外箱２０の底板２１との間に固定バンド６９を挟み込んでいる。
【００４９】
このように、第３の管状部材収納体３では、平板内箱７０の表面にて第３の管状部材８８の一方の端部を内側に入り込ませて、チューブ８９を平面状に周回させる。そして、平板内箱７０に形成された切欠き穴７１を用いて第３の管状部材８８の位置を決定し、固定している。これによって、第２の管状部材８４のチューブ８５よりも細いチューブ８９であっても、第３の管状部材８８の収納箱１０への収納後の位置を良好に維持でき、縦置き、横置き、上下反転などの激しい状態で保管や搬送がなされた場合であっても、第３の管状部材８８の位置が大きくずれない。その結果、外箱２０の一平面方向（底板２１、蓋板２５、平板内箱７０の平面方向）に直交する面（両端板２２、一端板２３（一側片２７）、または他端板２４）を上下として縦置きした場合であっても、平面状に周回された第３の管状部材８８が下方向に片寄らず、良好な収納状態を維持できる。
【００５０】
〔本実施形態のまとめ〕
以上のように構成される第１の管状部材収納体１および第２の管状部材収納体２では、収納される管状部材の周回状態が、平面上で２つのチューブが重なり２本で周回される箇所と、平面上で他のチューブが重ならずに１本で周回される箇所との何れかであった。しかし、平面上で３つのチューブが重なり３本で周回される場合もあり得る。その場合には、内箱３０の外枠４０と内枠６０とで形成される溝部の幅は、重なり合う本数によって決定される。例えば、管状部材がｎ本で周回される箇所は、管状部材の直径（２×ｒ）に対して、
ｎ×２×ｒ
の幅となる。
また、第２の管状部材収納体２および第３の管状部材収納体３の何れであっても、図１に示すような運送・保管形態にて、窓部１１から、管状部材の特徴部分を確認することが可能となる。
【符号の説明】
【００５１】
１…第１の管状部材収納体、２…第２の管状部材収納体、３…第３の管状部材収納体、１０…収納箱、２０…外箱、３０…内箱、４０…外枠、６０…内枠、６９…固定バンド、７０…平板内箱、８０…第１の管状部材、８４…第２の管状部材、８８…第３の管状部材
【図１】
2014061906.tif 000003
【図２】
2014061906.tif 000004
【図３】
2014061906.tif 000005
【図４】
2014061906.tif 000006
【図５】
2014061906.tif 000007
【図６】
2014061906.tif 000008
【図７】
2014061906.tif 000009
【図８】
2014061906.tif 000010